(57)【特許請求の範囲】
【請求項１】
防水パンを支承するためのフレームに対し取り付けられるガイドブラケットと、
該ガイドブラケット上に着脱可能に設置されるダミー体とを備えてなる排水トラップ取付用治具であって、
該ガイドブラケットには、排水トラップが支持される排水トラップ支持部が設けられており、
該ダミー体は、該排水トラップ支持部を跨ぐ大きさを有しており、
該ダミー体には、該防水パンの排水口と同一口径の開口が設けられており、
該開口は、該ダミー体が該ガイドブラケット上に設置された状態において、該防水パンを該フレーム上に設置したときの該防水パン排水口と同一位置及び高さに配置されることを特徴とする排水トラップ取付用治具。
【請求項２】
請求項１において、前記ダミー体の前記開口の上面側に環状壁が周設されていることを特徴とする排水トラップ取付用治具。
【請求項３】
請求項１又は２において、前記ダミー体に、下方に延在するガイドロッドが設けられており、
前記ガイドブラケットに、該ガイドロッドが挿通されるガイド孔が設けられており、
該ガイドロッドが上方から該ガイド孔に差し込まれるようにして該ダミー体が該ガイドブラケット上に設置されることを特徴とする排水トラップ取付用治具。
【請求項４】
請求項１ないし３のいずれか１項に記載の排水トラップ取付用治具を用いて防水パンに排水トラップを取り付ける方法であって、
防水パンを支持するフレームを躯体床上に設置し、レベル出しする工程と、
該フレームに前記ガイドブラケットを取り付ける工程と、
該フレームに取り付けられたガイドブラケットに対し排水トラップを支持させ、次いで該ガイドブラケット上に前記ダミー体を設置する工程と、
該ダミー体の前記開口を通して締付フランジの雄螺子部を排水トラップの雌螺子に締め込む工程と、
次いで該排水トラップと躯体排水管とを配管で接続する工程と、
次いで該締付フランジを取り外し、ダミー体を撤去する工程と、
次いで該フレーム上に防水パンを設置し、防水パンの排水口を通して該締付フランジの該雄螺子部を排水トラップの前記雌螺子に締め込む工程と
を有する排水トラップの取付方法。
【請求項５】
請求項４において、前記ダミー体を前記ガイドブラケット上に設置した状態において、該ダミー体の開口の位置及び高さは、後に該フレーム上に設置される防水パンの排水口の位置及び高さに合致することを特徴とする排水トラップの取付方法。
【発明の詳細な説明】
【技術分野】
【０００１】
本発明は、ユニットバス等の防水パンに排水トラップを取り付ける際に用いる治具と、この治具を用いた排水トラップの取付方法に関する。
【背景技術】
【０００２】
ユニットバスルームなどのユニットルームの床を構成する防水パンの下側に排水トラップを設置し、排水トラップを躯体側排水管と接続する工事を行う場合、排水トラップを取り付けた防水パンを設置した後、防水パンに設けた作業口（点検口）を通して排水トラップと躯体側排水管とを配管接続することが多い。作業終了後は作業口（点検口）を蓋で閉鎖する。
【０００３】
かかる従来工法では、防水パンに大きな点検口が必要となる。このような点検口を有しない防水パンの取付方法として、特許文献１には、防水パンの排水口に仮留め可能であると共に排水口上側から手を差し込んで仮留め解除することができる治具を用いた排水トラップの取付方法が記載されている。
【０００４】
特許文献１では、治具に排水トラップを保持させ、この治具を起立状態の防水パンの排水口に仮留めする。この防水パンを躯体床上に倒伏させた後、排水口から手を差し込んで仮留めを解除し、次いで防水パンを起立させる。排水トラップ及びそれを保持した治具は躯体床上に残置される。この躯体床上の排水トラップを躯体排水管に対し配管で接続する。その後、防水パンを再度躯体床上に倒伏させ、その排水口を排水トラップに合致させ、締付フランジを防水パン上方から排水口を通して排水トラップの雌螺子部にねじ込み、排水トラップを防水パンに緊結する。
【先行技術文献】
【特許文献】
【０００５】
【特許文献１】特開２００４−３５３４０３
【発明の概要】
【発明が解決しようとする課題】
【０００６】
上記特許文献１では、防水パンの倒伏及び起立を２回行う必要があり、作業に手間がかかる。また、防水パンを２回目に倒伏させたときに、１回目の倒伏時と防水パンの位置がずれてしまい、防水パン排水口と排水トラップとが芯ズレするおそれもある。
【０００７】
本発明はこのような問題が生ずることなく、排水トラップを容易に取付することができる排水トラップ取付用治具と、この治具を用いた排水トラップ取付方法とを提供することを目的とする。
【課題を解決するための手段】
【０００８】
本発明の排水トラップ取付用治具は、防水パンを支承するためのフレームに対し取り付けられるガイドブラケットと、該ガイドブラケット上に着脱可能に設置されるダミー体とを備えてなる排水トラップ取付用治具であって、該ガイドブラケットには、排水トラップが支持される排水トラップ支持部が設けられており、該ダミー体は、該排水トラップ支持部を跨ぐ大きさを有しており、該ダミー体には、該防水パンの排水口と同一口径の開口が設けられており、該開口は、該ダミー体が該ガイドブラケット上に設置された状態において、該防水パンを該フレーム上に設置したときの該防水パン排水口と同一位置及び高さに配置されることを特徴とするものである。
【０００９】
前記ダミー体の前記開口の上面側に環状壁が周設されてもよい。
【００１０】
前記ダミー体に、下方に延在するガイドロッドが設けられており、前記ガイドブラケットに、該ガイドロッドが挿通されるガイド孔が設けられており、該ガイドロッドが上方から該ガイド孔に差し込まれるようにして該ダミー体が該ガイドブラケット上に設置されるように構成されていてもよい。
【００１１】
本発明の排水トラップの取付方法は、上記本発明の排水トラップ取付用治具を用いて防水パンに排水トラップを取り付ける方法であって、防水パンを支持するフレームを躯体床上に設置し、レベル出しする工程と、該フレームに前記ガイドブラケットを取り付ける工程と、該フレームに取り付けられたガイドブラケットに対し排水トラップを支持させ、次いで該ガイドブラケット上に前記ダミー体を設置する工程と、該ダミー体の前記開口を通して締付フランジの雄螺子部を排水トラップの雌螺子に締め込む工程と、次いで該排水トラップと躯体排水管とを配管で接続する工程と、次いで該締付フランジを取り外し、ダミー体を撤去する工程と、次いで該フレーム上に防水パンを設置し、防水パンの排水口を通して該締付フランジの該雄螺子部を排水トラップの前記雌螺子に締め込む工程とを有する。
【００１２】
前記ダミー体を前記ガイドブラケット上に設置した状態において、該ダミー体の開口の位置及び高さは、後に該フレーム上に設置される防水パンの排水口の位置及び高さに合致することが好ましい。
【発明の効果】
【００１３】
本発明の治具を用いて排水トラップの取付を行うには、まずフレームを躯体床上に設置し、レベル出しする。次いで、このフレームの規定位置にガイドブラケットを取り付ける。なお、ガイドブラケットをフレームに予め取り付けておき、ガイドブラケット付きのフレームを躯体床上に設置し、レベル出ししてもよい。
【００１４】
このガイドブラケットに対し排水トラップを係止させて仮置きすると共に、排水トラップを跨ぐようにダミー体をガイドブラケット上に載置する。
【００１５】
前記ダミー体に下方に延在するガイドロッドを設け、前記ガイドブラケットに、該ガイドロッドが挿通されるガイド孔を設け、該ガイドロッドを上方から該ガイド孔に差し込むようにして該ダミー体を該ガイドブラケット上に設置するように構成することにより、該ダミー体の該ガイドブラケットへの設置作業を容易なものとすることができる。また、ガイドロッドがガイド孔に差し込まれているので、ガイドブラケット上に設置されたダミー体の水平方向の位置ずれも防止される。なお、ガイドロッドはガイド孔に対し上方から差し込まれているだけなので、必要に応じ、ダミー体の設置高さの調整も容易に行うことができる。
【００１６】
このダミー体には、締付フランジが上方から差し込まれる開口が設けられている。この開口は、後に該フレーム上に設置される防水パンの排水口と同一口径である。また、該ダミー体を該ガイドブラケット上に載置した状態においては、該防水パン排水口の位置及び高さと該開口の位置及び高さとは合致している。
【００１７】
このダミー体の該開口を通して締付フランジを排水トラップの受入口内周面の雌螺子にねじ込む。これにより、排水トラップは締付フランジによって引き上げられる。締付フランジの取付け方法はスナップフィットやビスによる固定でもよい。
【００１８】
締付フランジを十分に締め付けると、排水トラップはダミー体に緊結されてダミー体と一体化され、このダミー体がガイドブラケット上に載っている状態となる。この状態では、排水トラップは、防水パンの排水口に連結された最終設置位置及びレベルと同一位置及びレベルに位置する。
【００１９】
次に、この排水トラップの流出口と躯体排水管とを配管で接続する。なお、この状態で、排水トラップ内に水を注入して排水状況を確認してもよい。受入口に環状壁を設けておくと、この環状壁内にまで水を張ることができる。
【００２０】
その後、締付フランジを外し、ダミー体を撤去する。締付フランジを外すと、排水トラップはガイドブラケット上に降下する。
【００２１】
次に、このフレーム上に防水パンを配置する。防水パンの排水口と排水トラップの受入口とは同軸状となっているので、締付フランジを防水パン排水口を通して排水トラップ受入口内周面の雌螺子にねじ込む。これにより、排水トラップが上方に引き上げられ、締付フランジのフランジ部と排水トラップの受入口上縁との間で防水パン排水口周縁部が挟持され、排水トラップが防水パンに固定される。この排水トラップには、既に排水管が接続されているので、排水トラップの取付が終了する。
【００２２】
なお、前記ダミー体の開口を通して締付フランジの雄螺子部を排水トラップの雌螺子に締め込んだ際に排水トラップが引き上げられる高さと、前記防水パンの排水口を通して締付フランジの雄螺子部を排水トラップの雌螺子に締め込んだ際に排水トラップが引き上げられる高さとを同等とすることにより、排水管等に残留応力が生じることが防止される。
【図面の簡単な説明】
【００２３】
【図１】フレームの斜視図である。
【図２】ガイドブラケットを取り付けたフレームの斜視図である。
【図３】ガイドブラケットに排水トラップを係止した状態におけるフレームの斜視図である。
【図４】ガイドブラケット上にダミー体を載置して締付フランジを締め付けた状態におけるフレームの斜視図である。
【図５】フレーム上に防水パンを設置したときの斜視図である。
【図６】ガイドブラケットとダミー体とを示す斜視図である。
【図７】図６のVII−VII線断面図である。
【図８】ダミー体への排水トラップ締付方法を示す断面図である。
【図９】防水パンへの排水トラップ締付方法を示す断面図である。
【図１０】排水トラップの平面図である。
【図１１】排水トラップの側面図である。
【図１２】排水トラップの本体部の縦断面図である。
【発明を実施するための形態】
【００２４】
以下、図面を参照して実施の形態について説明する。
【００２５】
［治具及び取付法の概要］
この実施の形態では、本発明の治具は、ガイドブラケット２と、該ガイドブラケット２上に載置されるダミー体４とを有する。ガイドブラケット２は、防水パン６支持用のフレーム１に取り付けられる。このガイドブラケット２の設置位置は、防水パン６の排水口１５の下方位置である。このガイドブラケット２は、排水トラップ３を一時的に係止しておくためのものである。ガイドブラケット２に係止された排水トラップ３は、ダミー体４に連結されることにより、該排水トラップ３が防水パン６の排水口１５に連結された最終設置位置及びレベルに保持される。この状態で排水トラップ３に配管接続作業が施される。その後、排水トラップ３がダミー体４と分離され、ガイドブラケット２上に載置され、ダミー体４が撤去される。その後、フレーム１上に防水パン６が設置され、排水トラップ３が防水パン６の排水口１５と連結される。
【００２６】
［実施の形態の詳細な説明］
この実施の形態では、図１の通り、フレーム１を躯体床上に設置してレベル出しし、次いで図２の通り、フレーム１にガイドブラケット２を取り付け、図３の通りこのガイドブラケット２に排水トラップ３を係止し、図４の通り排水トラップ３を跨ぐようにガイドブラケット２上にダミー体４を載置し、締付フランジ５を排水トラップ３の洗い場排水受入口３０に締めこんで排水トラップ３をダミー体４に連結固定する。なお、フレーム１を躯体床上に設置する前に該フレーム１にガイドブラケット２を取り付けておいてもよい。このガイドブラケット２とダミー体４とによって排水トラップ取付用治具が構成されている。
【００２７】
その後、排水トラップ３に排水管７（図４）を接続した後、締付フランジ５を取り外し、ダミー体４を撤去し、次いで図５の通り防水パン６をフレーム１上に設置する。そして、防水パン６の排水口１５（図９（ｂ））を通して締付フランジ５を排水トラップ３の洗い場排水受入口３０にねじ込み、防水パン６と排水トラップ３とを連結固定する。
【００２８】
この実施の形態では、フレーム１は、図１の通り、洗い場防水パン６の設置部１ａと浴槽用防水パン（図示略）の設置部１ｂとを有している。洗い場防水パン設置部１ａは長辺アングル８と短辺アングル９とを有した長方形状である。フレーム１には上下方向に螺進可能な足ボルト１１が設けられている。
【００２９】
このフレーム１の洗い場防水パン設置部１ａのうち浴槽用防水パン設置部１ｂ側の長辺アングル８の側面（枠状の設置部１ａの枠内側を向く側面）には、ガイドブラケット２を取り付けるための小孔１２（図１）が設けられている。この小孔１２の位置は、該フレーム１に取り付けられたガイドブラケット２上に対しダミー体４を係合させたときに、ダミー体４の円形開口１４（図６等）が防水パン６の排水口１５（図９（ｂ）等）と同軸となるように設定されている。
【００３０】
ガイドブラケット２は、図６に明示の通り、水平板部１６と、該水平板部１６の一辺から起立する起立板部１７と、該水平板部１６の両側辺から起立する補強板部１８と、該水平板部１６に切欠状に設けられた排水トラップ支持部としての排水トラップ係止口１９と、水平板部１６に設けられたガイド孔２０と、前記起立板部１７に設けられたビス孔２１とを備えている。このビス孔２１同士の間隔は前記小孔１２，１２間の間隔に合致している。
【００３１】
排水トラップ係止口１９は、水平板部１６の起立板部１７と反対側の辺から切り込まれた形状となっている。水平板部１６は、排水トラップ係止口１９の両側に沿って延在する２本の腕状部を有した略々Ｕ字形平面視形状となっている。排水トラップ係止口１９の入口側（即ち、この２本の腕状部の前端側）には、互いに接近方向に突出した接近片部１９ａが設けられている。この接近片部１９ａは、排水トラップ係止口１９に係合させた排水トラップ３が腕状部から前方へ脱落しにくくするためのものである。ガイド孔２０は、水平板部１６の４コーナー部近傍にそれぞれ設けられている。
【００３２】
ダミー体４は、環状壁としての円環状壁２３と、該円環状壁２３から張り出す水平な主板部２４と、該主板部２４の４コーナー部から下方に突設されたガイドロッド２５等を有している。
【００３３】
円環状壁２３は、筒軸心方向を上下方向とした短い筒状である。図７の通り、円環状壁２３の下端内周面からは求心方向に張り出す鍔部２６が設けられており、この鍔部２６にリップパッキン２７が装着されている。円環状壁２３の内側が前記円形開口１４となっている。この円形開口１４は、防水パン６の排水口１５と同一口径である。また、ダミー体４をガイドブラケット２上に載置した状態において、円形開口１４の位置（水平方向位置）及び高さ（レベル）は、後にフレーム１上に設置される防水パン６の排水口１５の位置及び高さに合致している。
【００３４】
主板部２４の外周縁からは下方にスカート部２８が垂設されている。このスカート部２８の高さｈ（図７）は、後述の図９（ｂ）の高さｈに合致する。
【００３５】
図１０〜１２に示すように、排水トラップ３の長手方向の略中央の上面には、洗い場からの排水が流入する洗い場排水受入口３０が設けられている。図１２の通り、この洗い場排水受入口３０の内周面に雌螺子が刻設され、締付フランジ５の雄螺子部５ｂ（図８，図９（ｃ））が螺着可能とされている。この洗い場排水受入口３０の外周にトップフランジ部３２が設けられている。排水トラップ３の長手方向一端側の上面には、浴槽からの排水が流入する浴槽排水流入口３３が設けられている。浴槽排水は、ダクト部３５を介して本体部３６に流入する。
【００３６】
排水トラップ３の他端側には、排水トラップ流出口３７が設けられている。この排水トラップ流出口３７に排水管７（図４）が接続される。
【００３７】
この排水トラップ３の本体部３６内には、洗い場排水受入口３０の下側に円筒形の受入室が設けられている。洗い場排水はヘアキャッチャー３８を通ってこの受入室に流入する。この受入室には、ダクト部３５からの浴槽排水の一部が上側分岐流路４０ａ（図１１，１２）を介して接線方向に導入され、受入室内に旋回流を形成した後、排水トラップ流出口３７に流出するよう構成されている。浴槽排水の残部は、下側分岐流路４０ｂを介して、受入室を迂回するバイパス流路４０、その上昇流路４０ｃ及びその合流口４０ｄを経て流出口３７へ流出する。
【００３８】
フレーム１を設置した後、防水パン６を設置し、排水トラップ３を防水パン６に取り付ける工法について以下に詳細に説明する。
【００３９】
フレーム１をユニットバスルーム構築エリアに搬入し、躯体床上に設置し、位置決めし、足ボルト１１を調節し、レベル出しする。次いで、図２の通り、フレーム１にガイドブラケット２をビス５０で固定する。このビス５０は、ビス孔２１（図６）を通して小孔１２にねじ込まれる。これにより、図１の通り、長辺アングル材８に沿う水平Ｘ方向及び上下方向（Ｚ方向）並びに長辺アングル材８と直交する水平Ｙ方向のいずれにおいてもフレーム１に対して規定位置となるようにガイドブラケット２がフレーム１に固定される。
【００４０】
次いで、図３及び図８（ａ）のように、ガイドブラケット２の排水トラップ係止口１９に排水トラップ３を挿入し、そのトップフランジ部３２を排水トラップ係止口１９の周囲の水平板部１６に上方から係合させるようにして排水トラップ３を該ガイドブラケット２に係止させる。この段階では、締付フランジ５は排水トラップ３にまだ螺着されていない。なお、図８（ａ）は図３のVIIIａ−VIIIａ線断面図である。図８（ａ），（ｂ）において、排水トラップ係止口１９の内周面と排水トラップ３の外周面との間に多少の遊びが存在しており、排水トラップ３はＸ，Ｙ方向に若干移動可能となっている。
【００４１】
次いで、図８（ｂ）のように、この排水トラップ３の洗い場排水受入口３０を跨ぐようにしてダミー体４を配置し、４本のガイドロッド２５をそれぞれガイドブラケット２の各ガイド孔２０に挿入し、スカート部２８が水平板部１６の上面に当接するようにダミー体４をガイドブラケット２上に載置する。ダミー体４は、各ガイドロッド２５を各ガイド孔２０に挿入することにより、Ｘ−Ｙ方向に位置決めされた状態となり、スカート部２８が水平板部１６の上面に当接することによりＺ方向に位置決めされた状態となる。なお、必要に応じ、ダミー体４の設置高さを調整してもよい。
【００４２】
次いで、締付フランジ５の雄螺子部５ｂをダミー体４の円形開口１４を通して排水トラップ３の受入口３０の内周面の雌螺子に締め込む。締付フランジ５を回転させるに従って、排水トラップ３は引き上げられ、遂には、図８（ｃ）及び図４の通り、締付フランジ５のフランジ部５ａとトップフランジ部３２との間でリップパッキン２７を介して鍔部２６を上下から強力に締め付けた状態となる。図８（ｃ）は図４のVIIIｃ−VIIIｃ線断面図である。この状態における排水トラップ３の位置及び高さは、排水トラップ３を、フレーム１に設置した防水パン６の排水口１５に取り付けた状態における位置及び高さと合致する。
【００４３】
そこで、排水管７（図４）をこの排水トラップ３の流出口３７と躯体側排水管との双方に接続するようにして引き回す。このように排水管７の引き回しが終了した後、ダミー体４の円形開口１４を通して排水トラップ３内に水を注ぎ、排水が滞りなく行われるかチェックしてもよい。この実施の形態では、ダミー体４に円環状壁２３が設けられているので、円環状壁２３内にまで水を張ることができる。
【００４４】
必要に応じこの通水試験を行った後、締付フランジ５を緩めて取り外し、さらにダミー体４を撤去する。これにより、図９（ａ）のように排水トラップ３のトップフランジ部３２がガイドブラケット２の水平板部１６上に再び載置された状態となる。
【００４５】
次に、図５及び図９（ｂ）のように、防水パン６をフレーム１の洗い場フレーム１ａ上に載せる。防水パン６の排水口１５は排水トラップ３の洗い場排水受入口３０と正確に同軸位置を占める。そこで、図９（ｃ）の通り、締付フランジ５の雄螺子部５ｂを防水パン６の上方から排水口１５を通して排水トラップ３の洗い場排水受入口３０内周面の雌螺子に締め込む。これにより、排水トラップ３は再び引き上げられ、トップフランジ部３２と締付フランジ５のフランジ部５ａとの間で排水口１５の縁部がリップパッキン４２を介して強力に挟持され、図５及び図９（ｃ）の通り排水トラップ３が防水パン６に連結固定された状態となる。その後は、浴槽用防水パン設置部１ｂの上に浴槽パンを設置し、浴槽排水口を浴槽排水流入口３３に接続する。
【００４６】
このように、この実施の形態によると、防水パン６に点検口を設けることなく、排水トラップ３と躯体側排水管との配管接続を行うことができる。この実施の形態によると、防水パン６をフレーム１上に倒伏させて設置する作業は１回で足りる。
【００４７】
上記実施の形態は本発明の一例であり、本発明は図示以外の形態とされてもよい。
【符号の説明】
【００４８】
１  フレーム
２  ガイドブラケット
３  排水トラップ
４  ダミー体
５  締付フランジ
５ａ  フランジ部
５ｂ  雄螺子部
６  防水パン
７  排水管
１１  足ボルト
１４  円形開口
１５  排水口
１９  排水トラップ係止口（排水トラップ支持部）
２０  ガイド孔
２３  円環状壁
２５  ガイドロッド
２６  鍔部
３０  洗い場排水受入口
３２  トップフランジ部
４０  ビス
【図１】
0005817579.tif 000002
【図２】
0005817579.tif 000003
【図３】
0005817579.tif 000004
【図４】
0005817579.tif 000005
【図５】
0005817579.tif 000006
【図６】
0005817579.tif 000007
【図７】
0005817579.tif 000008
【図８】
0005817579.tif 000009
【図９】
0005817579.tif 000010
【図１０】
0005817579.tif 000011
【図１１】
0005817579.tif 000012
【図１２】
0005817579.tif 000013